(57)【特許請求の範囲】
【請求項１】
先端が尖った歯科治療用小器具を突き刺して保持するホルダと、
前記ホルダを保持するスタンド本体と
を備える歯科治療用小器具のスタンド装置において、
前記スタンド本体は、
細い棒状部材により細長い長方形状をなし、その長手方向に互いに平行に延びる２本のレールからなる支持部と、これらレールの両端部をそれぞれ一側に折り曲げて形成した脚部とを有しており、
前記ホルダは、
前記レール間に装着され、上面に前記歯科治療用小器具を突き刺し可能な弾性材料からなる円柱形状の保持部と、
前記保持部の外周面に、その周方向に沿って形成され、前記レールを嵌め込んで前記レールに前記保持部を係止させる環状溝と、
前記保持部の外周面に形成され、その軸線方向に沿って延びる縦溝とを有している
ことを特徴とする歯科治療用小器具のスタンド装置。
【請求項２】
前記レール間に装着される第１容器ホルダを更に含み、
前記第１容器ホルダは、弾性材料からなる円筒形状のホルダ本体と、このホルダ本体の上面に形成された容器差込み穴と、前記ホルダ本体の外周面に形成され、前記レールを嵌め込んで前記レールに前記ホルダ本体を係止させる環状溝とを有することを特徴とする請求項１に記載の歯科治療用小器具のスタンド装置。
【請求項３】
前記レール間に装着される円筒形状の第２容器ホルダを更に含み、
前記第２容器ホルダは、ホルダ本体と、このホルダ本体の上面に形成された容器差込み穴と、ホルダ本体の外周面に形成され、前記レール上に支持されることで、前記レールに前記ホルダ本体を係止させる環状の突起部とを有することを特徴とする請求項１又は２に記載の歯科治療用小器具のスタンド装置。
【発明の詳細な説明】
【０００１】
【発明の属する技術分野】
本発明は、特に小物の治療器具材料の多い歯科治療用器具材料の保管、消毒・滅菌や治療の際に好適な小物用スタンドに関する。
【０００２】
【従来の技術】
歯科治療用のリーマ・ファイル、針、ダイアモンドバーやポイント等の治療器具材料や薬瓶等は、通常の治療器具材料や薬瓶等に比べて種類も多く、非常に小さい。これらは一般に別々の多種の小物ケースに収納して保管棚に保管したり、或いは、消毒・滅菌する際には別々のこれら小物ケースごと或いはそのつど取り出し消毒・滅菌を行っていた。
【０００３】
【発明が解決しようとする課題】
従来、歯科用の小物の治療器具材料は、別々の小物ケース等に入れて保管棚や消毒・滅菌室等に直接収納しているために管理が複雑で、保管棚や消毒・滅菌室内でケースが転倒したり、或いは運搬の際に落としたりし易く、器具を破損したりする虞がある。また、治療の際に医師の手元に設けられている器具載置台に載置されている薬瓶等が転倒して危険な薬液等がこぼれる等の問題もある。また、歯科治療のように多種の小器具材料を用いるが、治療内容に合わせて必要な小器具材料を取り出すためのロスタイムを少なく的確に提供して効率を上げるのは難しく、有効な対策が望まれている。
【０００４】
本発明は、上述の点に鑑みてなされたもので、小物の治療器具材料等の保管や消毒・滅菌及び治療とその準備の効率を上げるシステムとして好適な小物用スタンドを提供することを目的とする。
【０００５】
【課題を解決するための手段】
上記目的を達成するために請求項１の発明では、先端が尖った歯科治療用小器具を突き刺して保持するホルダと、前記ホルダを保持するスタンド本体とを備える歯科治療用小器具のスタンド装置において、前記スタンド本体は、細い棒状部材により細長い長方形状をなし、その長手方向に互いに平行に延びる２本のレールからなる支持部と、これらレールの両端部をそれぞれ一側に折り曲げて形成した脚部とを有しており、前記ホルダは、前記レール間に装着され、上面に前記歯科治療用小器具を突き刺し可能な弾性材料からなる円柱形状の保持部と、前記保持部の外周面に、その周方向に沿って形成され、前記レールを嵌め込んで前記レールに前記保持部を係止させる環状溝と、前記保持部の外周面に形成され、その軸線方向に沿って延びる縦溝とを有していることを特徴とする。
【０００６】
請求項２の発明では、前記レール間に装着される第１容器ホルダを更に含み、前記第１容器ホルダは、弾性材料からなる円筒形状のホルダ本体と、このホルダ本体の上面に形成された容器差込み穴と、前記ホルダ本体の外周面に形成され、前記レールを嵌め込んで前記レールに前記ホルダ本体を係止させる環状溝とを有することを特徴とする。
請求項３の発明では、前記レール間に装着される円筒形状の第２容器ホルダを更に含み、前記第２容器ホルダは、ホルダ本体と、このホルダ本体の上面に形成された容器差込み穴と、ホルダ本体の外周面に形成され、前記レール上に支持されることで、前記レールに前記ホルダ本体を係止させる環状の突起部とを有することを特徴とする。
【０００７】
弾性部材のホルダは、歯科治療用の針、ダイアモンドバー、リーマ・ファイル等を突き刺して保持し、中心に穴のあるものは穴に薬瓶等を挿入してホールドしたり、更に板状のホルダは、薬瓶や容器等を穴に挿入させて上部を係止して保持する。これらのホルダをスタンド本体のレールに着脱自在に係合装着する。これにより、保管棚等に前記小物等を安定に収納し治療に際して必要なものを容易に治療テーブル上に整理され効率的に提供できる、或いは、消毒・滅菌等を容易に行うことができる。
【０００８】
【発明の実施の形態】
以下本発明の実施例を図面により詳細に説明する。図１に示すように小物スタンド（スタンド装置）１は、スタンド本体２と、ホルダ７とから成り、スタンド本体２は、細長い棒状部材例えば、ステンレスの細い棒部材により細長い長方形状に形成され、両端部が一側（下方）に直角に折曲され、更に内方に直角に折曲されて、側面視略コ字型をなす脚部２ａ、２ａとされている。そして、上部の平行な２本の棒状部（以下「レール」という）２ｂ、２ｂが支持部とされている。尚、脚部２ａ、２ａは、必ずしもコ字型に折曲する必要はなく、側面視逆Ｌ型に折曲した形状としてもよい。しかしながら、実施例のようにコ字型に折曲することで、脚部の重量が増して安定性が向上すると共に強度も高くなり好ましい。また、スタンド本体２は、高さを低く抑え、幅を広くすることが安定性を向上させて転倒し難くする上で好ましい。
【０００９】
尚、スタンド本体２の脚部２ａ、２ａを支持部としてのレール２ｂ、２ｂよりも幅広くすることで、安定性を高めることができる。更に、２点鎖線で示すように下板３にスタンド本体２の脚部２ａ、２ａを載置し、係止部材４、４及びねじ５、５により着脱自在に固定することで、安定性を更に向上させることができ、後述するように使い勝手がよくなる。
【００１０】
尚、スタンド本体２は、ステンレス部材に限るものではないが、特に歯科治療器具のような小物のスタンドとして使用する場合には、耐銹性、耐食性、耐熱性、強度、見栄え、更には重量を有し転倒し難い等の点で、前述したようにステンレス製が好ましい。
ホルダ７は、円柱形状をなし、その外径がホルダ本体２の支持部の２本のレール２ｂ、２ｂの外法程度とされ、上部に周方向に沿ってこれらレール２ｂ、２ｂと係合する係合溝としての環状溝７ｂが形成されている。このホルダ７の環状溝７ｂから下面までの下部７ｃの長さがスタンド本体２の高さよりも短く設定されている。また、環状溝７ｂから上面までの上部７ａの高さは、適宜の高さとされている。尚、上部７ａの高さは、低い方がスタンド本体２に装着した際に重心位置が低くなり、安定性を確保する上で好ましい。また、ホルダ７の上部７ａを下部７ｃよりも大径にしてもよいが、スタンド本体２に装着した際の安定性を確保する上で実施例のように円柱形状とすることが好ましい。更に、ホルダ７の形状としては、円柱形状に限るものではなく、例えば、角柱形状としてもよい。しかしながら、実施例のように円柱形状とする方が、スタンド本体２に着脱する際の使い勝手がよい。
【００１１】
ホルダ７は、弾性を有し、好ましくは耐薬品性、耐熱性に優れ、且つ治療器具としての針、研削用のダイアモンドバー、リーマ・ファイル等を容易に抜き刺しすることができ、且つ先を傷めないようなシリコンゴム部材、ウレタン部材等により形成されている。尚、ホルダ７は、治療器具材料を保管する場合、或いは消毒・滅菌をする場合等の使用目的により、或いは、保管する器具材料の種類等により、最適な部材を選定することもできる。例えば、針等を保持する場合には、保持力の高いものを、高温ガス等により消毒、滅菌等を行う場合には、スポンジ状の目の粗いもの等を使用する。
【００１２】
また、ホルダ８は、カップ状とされ、上部外周面にレール２ｂ、２ｂと係合する環状溝８ｂが形成されている。このホルダ８もホルダ７と同様にゴム等の弾性を有する部材で形成されている。ホルダ８は、穴８ａに容器特に底部が逆三角形状をなす小容器２５等を収納保持する場合に好適である。
更に、ホルダ９のように外周面にＯリング状をなすストッパ部９ｂを全周に亘り環状に形成し、ホルダ９を上方から、或るいは側方からレール２ｂ、２ｂの間に装着するようにしてもよい。このホルダ９は、例えば、シリコーン製のカップで、穴９ａに薬瓶２６等を収納保持したり、直接カップの中に液を入れて使用することができる。ホルダ９のように外周面にストッパ部９ｂを突出させて形成することで、レール２ｂ、２ｂ間への着脱が容易となり、使い勝手が向上する。
【００１３】
以下に使用方法を説明する。
図１に示すようにホルダ７の上面に、治療器具としての針２１、ダイアモンドバー２２、リーマ・ファイル２３等を突き刺し、スタンド本体２のレール２ｂ、２ｂに環状溝７ｂを合わせて長手方向の側方から矢印で示すように押し込む。ホルダ７は、弾性を有しており、両側部を指先で摘んで僅かに扁平にすることでレール２ｂ、２ｂへの装着が容易となる。また、ホルダ７は、装着後は弾性により係合されて良好に保持される。尚、ホルダ７は、扁平にすることでスタンド本体２の上方からレール２ｂ、２ｂの間に着脱することも可能であり、多数のホルダ３が装着されている場合でも、任意のホルダを簡単に取り外すことができ、使い勝手が向上する。
【００１４】
また、ホルダ７の側面に目印として溝７ｄ等を付けておくことで、上面に円周上に多数の針等を取り付けた場合に、使用する順序を目印の溝７ｄから右回り或いは、左回りと決めておくと、使い勝手がよくなる等の利点もある。スタンド本体２にホルダ７を装着した後に針２１、ダイアモンドバー２２、リーマ・ファイル２３等を突き刺すようにしてもよい。
【００１５】
これにより、スタンド本体２に針２１、ダイアモンドバー２２、リーマ・ファイル２３、小容器２５、２６等の治療用器具を良好に且つ簡単に保持することができ、保管棚や、器具載置台に安定して載置することができる。尚、ホルダ７は、消毒されている針２１、ダイアモンドバー２２、リーマ・ファイル２３等を保管する場合について記述したが、これに限るものではなく、前述したように治療用器具２１〜２３等を消毒、滅菌する際に使用することもできる。
【００１６】
また、スタンド１は、スタンド本体２を下板３に固定して重くすることで、ホルダ７から治療用器具２１〜２３等を引き抜く際に、浮き上がりを防止することができるために片手で容易に抜き取ることが可能となり、特に、治療中の使い勝手が向上する。
図２は、スタンド本体の第２の実施例を示す。
【００１７】
スタンド本体１０は、スタンド本体２を所定の間隔を存して複数例えば、２つ並設し、並列する脚部２ａ、２ａを連結部材１１、１１で連結固定したものである。この場合、２つのスタンド本体２、２間の間隔を、レール２ｂ、２ｂの間隔と同じ間隔にすることで、ホルダ７、８、９等を３列に使用することが可能となり、ホルダの装着数を多くすることができると共に、使い勝手も向上する。更に、スタンド本体２を複数並設することで安定性が大幅に向上し、好ましい。尚、これらの各スタンド本体２、２は、固定しないで、図１に示すように下板に着脱可能に取り付けるようにしてもよい。この場合も、下板の重さにより針等の抜き取りの際にスタンド１０の浮き上がりが防止されて好ましい。
【００１８】
図３は、第１の参考例としてのホルダを示す。
ホルダ１５は、平板状をなし、両側部にスタンド本体２のレール２ｂ、２ｂと係合する係合部１５ａ、１５ａが、長手方向に沿って略全長に亘り下方に突出するフランジ状に形成されている。即ち、係合部１５ａは、平板の幅方向両側部を内方に板面の下面と重なるように折り曲げ、更にレール２ｂの外径と略同じ半径で９０°下方に折り曲げ、下端を適宜の長さに垂下して形成されている。そして、板面には、適宜の大きさの穴が複数例えば、２つの穴１５ｂ、１５ｃが設けられている。このホルダ１５は、例えば、ステンレスの板で形成されている。尚、係合部１５ａ、１５ａの外法をレール２ｂ、２ｂの内法よりも僅かに広くすることで、ホルダ１５をスタンド本体２に装着した際に外れ難くすることができ好ましい。また、ホルダ１５は、ステンレス部材に限るものではないが、スタンド本体２の場合と同様に、耐銹性、耐食性、耐熱性、強度、見栄え等の点でステンレス部材が好ましい。
【００１９】
このホルダ１５は、図示のようにスタンド本体２の側方から挿入して両側の係合部１５ａ、１５ａをスタンド本体２のレール２ｂ、２ｂに係合載置して装着する。尚、ホルダ１５は、スタンド本体２の途中に上方から装着してもよい。このとき、レール２ｂ、２ｂを弾性に抗して間隔を僅かに広げると着脱が容易となる。特に、スタンド本体２にホルダ１５の両側にホルダ７、８、９等が装着されている場合には、当該ホルダ１５を上方から着脱することで、使い勝手が向上する。
【００２０】
そして、穴１５ｂ、１５ｃに、例えば、小容器２７等を上方から挿入して係止保持する。これにより、器具載置台や保管棚等に薬瓶等を安定して載置することができる。特に、容器の形状が広口で下部が逆三角形状等安定性の悪いもの対しては好適である。
また、スタンド本体２には、使用に応じてホルダ７、８、９やホルダ１５等を装着してもよい。更に、ホルダ７、８、９等の場合と同様に小容器２７内に前述したような小物の治療器具材料２４等を収納して消毒や滅菌等を行うようにしてもよい。
【００２１】
図４は、第２の参考例としてのホルダを示す。
ホルダ１７は、平板状をなし、幅方向両側部にスタンド本体２のレール２ｂ、２ｂと係合する係合部１７ａ、１７ａが、長手方向に沿って略全長に亘り形成されている。係合部１７ａは、平板の側部がレール２ｂの外径と略同径で略半円形状に外側に膨出するように形成されており、レール２ｂ、２ｂを上側から抱え込むように形成されている。そして、板面には、適宜の大きさの穴が複数例えば、２つの穴１７ｂ、１７ｃが設けられている。このホルダ１７は、ホルダ１５と同様にステンレスの板で形成されている。
【００２２】
このホルダ１７は、図示のようにスタンド本体２の上方から、係合部１７ａ、１７ａがレール２ｂ、２ｂを抱え込むように載置して装着する。このとき、レール２ｂ、２ｂを手で矢印で示すように押して２点鎖線で示すように間隔を狭め、係合部１７ａ、１７ａをレール２ｂ、２ｂに係合させて装着する。スタンド本体２からホルダ１７を取り外す場合にはレール２ｂ、２ｂの間隔を僅かに狭めることで容易に取り外すことができる。
【００２３】
【発明の効果】
以上説明したように、本願の発明では、極めて簡単な構成で、小物を保管棚等に安定して保管することができ、特に、歯科治療用の小物の治療器具材料等を効率よく治療に用いたり保管したり、或いは、消毒・滅菌等を行う際等に極めて有用である。また、スタンド本体やホルダ等の洗浄や消毒・滅菌等も容易である。更に、安価で使い勝手のよい小物スタンドを提供することができる。
【００２４】
請求項１の発明では、特に歯科治療用の針や、ダイアモンドバー、リーマ・ファイル等を突き刺して保持することができ、使い勝手が向上する。
請求項２及び３の発明では、小物の薬瓶や容器等を簡単に、しかも、安定して保持することができ、保管棚等に安定して載置され、薬瓶が転倒し、薬液等がこぼれることを防止することができる。そして、治療時には必要なものを容易に取り出し提供することができる。
【図面の簡単な説明】
【図１】  本発明に係るスタンド装置の実施例を示す斜視図である。
【図２】  スタンド本体の第２の実施例を示す斜視図である。
【図３】  ホルダの第１の参考例を示す斜視図である。
【図４】  ホルダの第２の参考例を示す斜視図である。
【符号の説明】
１  小物用スタンド
２、１０  スタンド本体
２ａ  脚部
２ｂ  レール（支持部）
３  下板
４  係止部材
５  固定用ねじ
７、８、１５、１７  ホルダ
２１、２２、２３、２４  治療器具材料
２５、２７  小容器
２６  薬瓶
【図１】
0004612131.tif 000002
【図２】
0004612131.tif 000003
【図３】
0004612131.tif 000004
【図４】
0004612131.tif 000005